(57)【要約】【課題】  外部装置を表示装置に接続したときに、簡単にタッチパネル機能を使用することができる表示システムおよび画像表示方法を提供する。【解決手段】  表示装置１０に外部装置３０から画像データが入力されタッチパネル１２が接触位置を検出すると、通信部１５が、画像データと接触位置データとを制御装置２０に送信する。制御装置２０の通信部２１が、表示装置１０から画像データおよび接触位置データを受信すると、画像処理部２２ｂは、受信した画像データに、接触位置データに基づく画像処理を施す。画像送信部２３が、画像処理が施された画像データを表示装置１０に送信すると、表示装置１０の画像受信部１６が画像データを受信する。制御部１８は、画像受信部１６が受信した画像データに基づく画像を表示部１１に表示させる。【選択図】      図１
2015191169.tif 000002
【特許請求の範囲】
【請求項１】
互いにデータ通信可能な表示装置と制御装置とを含む表示システムであって、
前記表示装置は、
画像を表示する表示面を有する表示部と、
前記表示面に重ねて設けられるタッチパネルであって、該タッチパネルに物体が接触したときの接触位置を検出するタッチパネルと、
外部装置から画像データが入力される外部入力部と、
前記制御装置に、前記外部入力部に入力された画像データと前記タッチパネルが検出した接触位置を示す接触位置データとを送信するデータ送信部と、
前記制御装置から画像データを受信する画像受信部と、
前記画像受信部が受信した画像データに基づく画像を前記表示部の表示面に表示させる表示制御部と、を有し、
前記制御装置は、
前記表示装置のデータ送信部から画像データおよび接触位置データを受信するデータ受信部と、
前記データ受信部が受信した画像データに、前記データ受信部が受信した前記接触位置データに基づく画像処理を施す画像処理部と、
前記画像処理が施された画像データを前記表示装置に送信する画像送信部と、を有することを特徴とする表示システム。
【請求項２】
前記画像処理は、前記画像データに対する変倍処理であることを特徴とする請求項１記載の表示システム。
【請求項３】
前記画像処理は、前記接触位置データの軌跡を描画する描画処理であることを特徴とする請求項１記載の表示システム。
【請求項４】
前記制御装置は、前記データ受信部が受信した画像データまたは前記画像処理が施された画像データの少なくともいずれかを記憶する画像記憶部をさらに有することを特徴とする請求項１〜３のいずれか１つに記載の表示システム。
【請求項５】
互いにデータ通信可能な表示装置と制御装置とを含む表示システムによって実行される画像表示方法であって、
前記表示装置が、前記表示装置の外部入力部に入力された画像データと前記表示装置のタッチパネルが検出した接触位置を示す接触位置データとを、前記制御装置に送信するデータ送信ステップと、
前記制御装置が、前記表示装置から画像データおよび接触位置データを受信するデータ受信ステップと、
前記制御装置が、前記データ受信ステップで受信した画像データに、前記データ受信ステップで受信した接触位置データに基づく画像処理を施す画像処理ステップと、
前記制御装置が、前記画像処理が施された画像データを前記表示装置に送信する画像送信ステップと、
前記表示装置が、前記制御装置から画像データを受信する画像受信ステップと、
前記表示装置が、前記画像送信ステップで受信した画像データに基づく画像を、前記表示装置の表示部に表示させる表示ステップと、を含むことを特徴とする画像表示方法。
【発明の詳細な説明】
【技術分野】
【０００１】
本発明は、電子黒板など比較的大型の表示画面を備える表示装置と、表示装置を制御する制御装置と、を含む表示システムおよび画像表示方法に関する。
【背景技術】
【０００２】
電子ホワイトボードまたは電子黒板に代表される比較的大型の表示画面を備える表示装置は、会議の場や学校の授業などにおいて、多人数の参加者に情報を表示することができ、従来のホワイトボードや黒板に比べて高機能であることから企業や学校での導入数が増加している。
【０００３】
このような表示装置は、制御装置とともに表示システムを構成し、制御装置に記憶されている静止画や動画を表示させたり、プレゼンテーションソフトで作成した資料を表示させたり、タッチパネルによって手書きで文字を入力するなどの機能を備えている。
【０００４】
表示装置は、制御装置以外の他の装置を外部装置として接続することができ、たとえば、ＰＣ（パーソナルコンピュータ）を接続して、ＰＣのディスプレイとして使用することもできる。
【０００５】
しかしながら、外部装置を接続した場合、表示装置は外部装置のディスプレイとしてのみ機能し、タッチパネルは機能しない。これは、タッチパネルの検出した位置情報の処理を表示装置自身が行うことができず、制御装置で行うためである。
【０００６】
特許文献１記載のＰＣ画像配信設備では、ＰＣから出力された画像データを送信機から各表示エリアの受信機に配信し、受信機は、表示エリアのタッチパネルの座標データをキャリブレーションして座標データを調整し、送信機を介してＰＣへ送信する。
【先行技術文献】
【特許文献】
【０００７】
【特許文献１】特開２００９−１９９４７７号公報
【発明の概要】
【発明が解決しようとする課題】
【０００８】
外部装置を接続した場合にタッチパネルを使用するには、外部装置にタッチパネルを機能させるためのプログラムを予めインストールしておき、表示装置からタッチパネルの検出した位置情報を外部装置が受け取り、外部装置が処理を行う必要がある。
【０００９】
したがって、表示装置に接続しようとする外部装置が変わると、その都度タッチパネル用のプログラムを外部装置にインストールしなければならない。ユーザがどのような外部装置を接続するかはわからないので、接続しようとする外部装置においてプログラムが正常に動作するかどうかを確認することは困難であり、正常に動作しないという不具合が生じる可能性がある。また、外部装置によっては、そもそもタッチパネル用のプログラムをインストールできない場合もある。
【００１０】
本発明の目的は、外部装置を表示装置に接続したときに、簡単にタッチパネル機能を使用することができる表示システムおよび画像表示方法を提供することである。
【課題を解決するための手段】
【００１１】
本発明は、互いにデータ通信可能な表示装置と制御装置とを含む表示システムであって、
前記表示装置は、
画像を表示する表示面を有する表示部と、
前記表示面に重ねて設けられるタッチパネルであって、該タッチパネルに物体が接触したときの接触位置を検出するタッチパネルと、
外部装置から画像データが入力される外部入力部と、
前記制御装置に、前記外部入力部に入力された画像データと前記タッチパネルが検出した接触位置を示す接触位置データとを送信するデータ送信部と、
前記制御装置から画像データを受信する画像受信部と、
前記画像受信部が受信した画像データに基づく画像を前記表示部の表示面に表示させる表示制御部と、を有し、
前記制御装置は、
前記表示装置のデータ送信部から画像データおよび接触位置データを受信するデータ受信部と、
前記データ受信部が受信した画像データに、前記データ受信部が受信した前記接触位置データに基づく画像処理を施す画像処理部と、
前記画像処理が施された画像データを前記表示装置に送信する画像送信部と、を有することを特徴とする表示システムである。
【００１２】
また本発明は、前記画像処理は、前記画像データに対する変倍処理であることを特徴とする。
【００１３】
また本発明は、前記画像処理は、前記接触位置データの軌跡を描画する描画処理であることを特徴とする。
【００１４】
また本発明は、前記制御装置は、前記データ受信部が受信した画像データまたは前記画像処理が施された画像データの少なくともいずれかを記憶する画像記憶部をさらに有することを特徴とする。
【００１５】
また本発明は、互いにデータ通信可能な表示装置と制御装置とを含む表示システムによって実行される画像表示方法であって、
前記表示装置が、前記表示装置の外部入力部に入力された画像データと前記表示装置のタッチパネルが検出した接触位置を示す接触位置データとを、前記制御装置に送信するデータ送信ステップと、
前記制御装置が、前記表示装置から画像データおよび接触位置データを受信するデータ受信ステップと、
前記制御装置が、前記データ受信ステップで受信した画像データに、前記データ受信ステップで受信した接触位置データに基づく画像処理を施す画像処理ステップと、
前記制御装置が、前記画像処理が施された画像データを前記表示装置に送信する画像送信ステップと、
前記表示装置が、前記制御装置から画像データを受信する画像受信ステップと、
前記表示装置が、前記画像送信ステップで受信した画像データに基づく画像を、前記表示装置の表示部に表示させる表示ステップと、を含むことを特徴とする画像表示方法である。
【発明の効果】
【００１６】
本発明によれば、表示装置に外部装置から画像データが入力されると、データ送信部が、入力された画像データとタッチパネルが検出した接触位置を示す接触位置データとを制御装置に、送信する。制御装置のデータ受信部が、表示装置のデータ送信部から画像データおよび接触位置データを受信すると、画像処理部は、データ受信部が受信した画像データに、前記データ受信部が受信した前記接触位置データに基づく画像処理を施す。画像送信部が、画像処理が施された画像データを前記表示装置に送信すると、表示装置の画像受信部が画像データを受信する。表示制御部は、画像受信部が受信した画像データに基づく画像を前記表示部の表示面に表示させる。
【００１７】
これにより、外部装置にプログラムをインストールしなくとも外部装置から表示装置に画像を入力するだけで、簡単にタッチパネル機能を使用することができる。
【００１８】
また本発明によれば、前記画像処理として、前記画像データに対する変倍処理を施すことができる。
【００１９】
また本発明によれば、前記画像処理として、接触位置データの軌跡を描画する描画処理を施すことができる。
【００２０】
また本発明によれば、前記制御装置の画像記憶部は、前記データ受信部が受信した画像データまたは前記画像処理が施された画像データの少なくともいずれかを記憶する。
【００２１】
これにより、画像データを再表示させるなど、記憶されている画像データを利用することができる。
【００２２】
また本発明によれば、表示装置が、入力された画像データとタッチパネルが検出した接触位置を示す接触位置データとを制御装置に送信する。制御装置が、表示装置から画像データおよび接触位置データを受信すると、制御装置は、受信した画像データに、受信した前記接触位置データに基づく画像処理を施す。画像処理が施された画像データを、制御装置が表示装置に送信すると、表示装置が画像データを受信する。表示装置は、受信した画像データに基づく画像を表示部に表示させる。
【００２３】
これにより、外部装置にプログラムをインストールしなくとも外部装置から表示装置に画像を入力するだけで、簡単にタッチパネル機能を使用することができる。
【図面の簡単な説明】
【００２４】
【図１】本発明の第１実施形態である電子黒板システム１の構成を示すブロック図である。
【図２】外部入力モードにおける表示装置１０の処理を示すフローチャートである。
【図３】外部入力モードにおける制御装置２０の処理を示すフローチャートである。
【図４】電子黒板システム１の外部入力モード動作時の第１の実施態様を示す概略図である。
【図５】電子黒板システム１の外部入力モード動作時の第２の実施態様を示す概略図である。
【図６】電子黒板システム１の外部入力モード動作時の第３の実施態様を示す概略図である。
【発明を実施するための形態】
【００２５】
＜第１実施形態＞
図１は、本発明の第１実施形態である電子黒板システム１の構成を示すブロック図である。電子黒板システム１は、表示装置１０と制御装置２０とを含む表示システムである。表示装置１０には、外部装置３０が接続され、外部装置３０から表示装置１０に画像データが入力される。外部装置３０から入力された画像データに基づいて、表示装置１０の表示部１１には画像が表示される。また、制御装置２０から表示装置１０に対して画像データが入力され、制御装置２０から入力された画像データに基づいて、表示装置１０の表示部１１に画像が表示される。
【００２６】
表示装置１０は、タッチパネル１２を備えており、ユーザはタッチパネル１２に接触することで、表示部１１に表示されている画像に対して、手書き文字などを入力したり、画像を拡大させたり、縮小させたりすることができ、直観的な操作が可能となっている。
【００２７】
タッチパネル１２へのユーザの接触位置は、制御装置２０に送られるので、制御装置２０から表示装置１０に入力される画像データに対しては、上記のように手書き文字を入力するなどの操作が可能であるが、外部装置３０から入力される画像データは、そのまま表示部１１に画像として表示されるので、タッチパネル１２による操作を行うことができない。そこで、本発明では、外部装置３０から入力される画像データをキャプチャして制御装置２０へキャプチャした画像データを送信する。タッチパネル１２の接触位置は制御装置２０へと送られるので、制御装置２０において、表示装置１０から送信される画像データとタッチパネル１２の接触位置データとに基づいて、手書き文字の入力や画像の変倍処理などを行うことができる。
【００２８】
表示装置１０は、表示部１１、タッチパネル１２、キャプチャ部１３、操作部１４、通信部１５、画像受信部１６、記憶部１７および制御部１８を含む。
【００２９】
表示部１１は、画像を表示する表示面を有し、液晶ディスプレイまたは有機エレクトロルミネッセンスディスプレイなどで実現される。表示部１１の画面サイズは、電子黒板システムとしては、比較的大きく、たとえば６０インチ〜８０インチであるが、このサイズより小さくても大きくてもよい。
【００３０】
タッチパネル１２は、表示部１１の表示面に重ねて配置され、ユーザによる表示面の接触位置を検出する。タッチパネル１２による接触位置の検出方式は、ユーザが表示面のどの位置に接触したかが検出可能な方式であれば、どのような方式であってもよい。
【００３１】
キャプチャ部１３は、外部装置３０が接続され、外部装置３０から送出される画像データを取り込む外部入力部である。キャプチャモードでは制御装置２０へ送信するために、通信部１５へ画像データを送り、非キャプチャモードでは表示部１１に画像を表示させるために制御部１８へ画像データを送る。
【００３２】
キャプチャモードは、外部装置３０から入力された画像データに対してもタッチパネル１２による操作を反映させることができる動作モードであって、非キャプチャモードでは、従来通り外部装置３０から入力された画像データに基づく画像を表示部１１に単に表示させるだけでタッチパネル１２による操作が反映されない動作モードである。
【００３３】
表示装置１０を、キャプチャモードで動作させるか、非キャプチャモードで動作させるかは、ユーザがモード切り替えの指示を入力することで決定される。モード切り替えの入力方法は特に限定されず、操作部１４に切り替えキーを割り当てておいてもよいし、タッチパネル１２を用いてソフトキーによる入力としてもよい。
【００３４】
操作部１４は、文字、数字および記号などの情報などを入力するための複数のハードキーによって構成される。操作部１４は、ユーザによって押下されるなど操作されると、操作されたキーに予め割り当てられている情報を制御部１８に送る。
【００３５】
通信部１５は、制御装置２０とのデータ通信を行い、キャプチャ部１３が取り込んだ画像データと、タッチパネル１２が検出した接触位置を示す接触位置データとを制御装置２０へ送信するデータ送信部である。
【００３６】
データ通信の方式は、表示装置１０と制御装置２０との間で必要なデータが送受信可能な方式であれば、どのような方式が用いられてもよい。表示装置１０と制御装置２０との間のデータ送受は、有線方式であってもよく、無線方式であってもよい。たとえば、データ送受の有線方式として、ＵＳＢ(Universal Serial Bus)、およびＲＳ２３２Ｃ(Recommended Standard  232  C)が挙げられる。またたとえば、上述のデータ送受の無線方式として、Ｗｉ−Ｆｉ(Wireless  Fidelity)方式、Ｂｌｕｅｔｏｏｔｈ（登録商標）方式、ＮＦＣ(Near field communication)方式が挙げられる。
【００３７】
画像受信部１６は、制御装置２０から送信される画像データを受信する。画像受信部１６が受信する画像データは、制御装置２０において、接触位置データに基づいて画像処理が施された画像データである。画像受信部１６が受信した画像データに基づいて、表示部１１に画像が表示される。
【００３８】
記憶部１７は、制御部１８が表示装置１０の動作を制御するための制御プログラムのほか表示装置１０で用いられるアプリケーションプログラム、および画像データや一時的に保持すべき演算データ、設定データなど各種のデータを記憶する。記憶部１７は、たとえば、揮発性の記憶装置であるランダムアクセスメモリ(Random Access Memory：RAM)、および不揮発性の記憶装置であるリードオンリメモリ(Read Only Memory：ROM)を含む。
【００３９】
制御部１８は、記憶部１７に記憶されている制御プログラムなどの各種プログラムに基づいて、画像表示などの表示装置１０動作制御を行う表示制御部である。
【００４０】
また、制御装置２０は、通信部２１、制御部２２、画像送信部２３、記憶部２４および操作部２５を含む。
【００４１】
通信部２１は、表示装置１０の通信部１５とデータ通信を行い、表示装置１０からキャプチャされた画像データと接触位置データとを受信するデータ受信部である。通信方式などが通信部１５と同じ仕様であればよい。
【００４２】
制御部２２は、制御装置２０の動作制御を行い、本発明においては、表示装置１０から送信されてきた接触位置データに基づいて予め定める処理を行う位置情報処理部２２ａと表示装置１０から送信されてきた画像データに対して画像処理を施す画像処理部２２ｂとを有している。
【００４３】
画像送信部２３は、制御部２２において、位置情報処理部２２ａと画像処理部２２ｂとによって、接触位置データに基づく画像処理が施された画像データを表示装置１０へと送信する。
【００４４】
記憶部２４は、制御部２２が制御装置２０の動作を制御するための制御プログラムのほか制御装置２０で用いられるアプリケーションプログラムや一時的に保持すべき演算データ、設定データなど各種のデータを記憶する。記憶部１７は、たとえば、揮発性の記憶装置であるＲＡＭ、および不揮発性の記憶装置であるＲＯＭを含む。
【００４５】
記憶部２４は、制御プログラムまたはアプリケーションプログラムが生成した画像データを記憶するとともに、通信部２１が表示装置１０から受信したキャプチャ画像データおよび制御部２２によって画像処理が施された画像データなどを記憶しておいてもよい。これら記憶された画像データは、ユーザが呼び出して後から表示装置１０の表示部１１に画像を表示させることもできる。
【００４６】
操作部２５は、キーボードやマウスなどの入力デバイスによって実現され、制御部２２対してコマンドの入力、設定値の入力などを行うためにユーザによって操作される。
【００４７】
電子黒板システム１の主要な動作モードは、電子黒板モードである。電子黒板モードでは、外部装置３０が表示装置に接続されていない状態で、制御装置２０が生成した画像データを画像送信部２３が表示装置１０へと送信し、表示装置１０の画像受信部１６が受信した画像データを、制御部１８が表示部１１に表示させる。一方で、タッチパネル１２では、タッチペンやユーザの手指などの接触位置を検出し、検出された接触位置を示す接触位置データを通信部１５が制御装置２０へと送信する。制御装置２０の通信部２１が接触位置データを受信すると、位置情報処理部２２ａにおいて、受信した接触位置データを解析し、ユーザの操作内容を決定する。
【００４８】
ユーザの操作内容としては、たとえばシングルタップ、ダブルタップ、フリック、ドラッグ、ロングプレス、ピンチインおよびピンチアウトなどがある。これらは、接触位置データに基づき、接触位置の軌跡の変化方向および長さ、接触開始から接触終了までの時間などに基づいて決定することができる。
【００４９】
画像処理部２２ｂは、位置情報処理部２２ａにおいて解釈されたユーザの操作内容に予め対応付けられた画像処理を画像データに施す。
【００５０】
たとえば、接触位置データに基づいて解釈されたユーザの操作内容が、ピンチインの場合は、表示されている画像の画像データに対して縮小処理を施し、ピンチアウトの場合は、表示されている画像の画像データに対して拡大処理を施す。その他、ユーザの操作内容がドラッグであった場合には、表示されている画像の表示位置を平行移動させたり、ソフトキーが表示されていてシングルタップされた場合には、ソフトキーに割り当てられた処理を実行する。
【００５１】
また、手書き入力処理を実行する場合には、操作内容を決定せず、接触位置データが変化すると、その軌跡を描画する。
【００５２】
画像処理部２２ｂによって画像処理が施された画像データを、画像送信部２３から表示装置１０へと送信する。表示装置１０では、制御装置２０から送信された画像処理済みの画像データを画像受信部１６が受信し、制御部１８に送る。制御部１８は、画像処理済みの画像データに基づく画像を表示部１１の表示面に表示させる。
【００５３】
このように、電子黒板モードでは、表示装置１０から制御装置２０へは、タッチパネル１２で検出した接触位置を送信し、制御装置２０から表示装置１０へは、接触位置に応じた画像処理を施した画像データを送信することにより、タッチパネル１２を利用して表示されている画像を変倍させたり、文字や図形などを手書き入力することができる。
【００５４】
電子黒板モードとは別の動作モードとして、外部装置３０を接続したときの外部入力モードがある。外部入力モードには、さらに前述のキャプチャモードと非キャプチャモードとがある。
【００５５】
外部装置３０を表示装置１０に接続した場合は、通常は、非キャプチャモードで表示装置１０は動作する。非キャプチャモードでは、表示装置１０は、外部装置３０の単なるディスプレイとして動作するだけである。したがって、キャプチャ部１３では、外部装置３０から入力される画像データを取り込まず、そのまま制御部１８へと送り出し、制御部１８において、表示部１１で表示可能なように適宜データの変換などが行われて表示部１１に画像が表示される。この非キャプチャモードで動作しているときは、タッチパネル１２の動作を停止してもよく、停止していない場合は検出された位置情報を制御装置２０に送信しなくてもよい。
【００５６】
外部装置３０から入力された画像データに基づいて表示される画像に対して、タッチパネル１２による操作内容などを反映させたい場合にはキャプチャモードで表示装置１０を動作させる。
【００５７】
キャプチャモードでは、外部装置３０から入力される画像データをキャプチャ部１３が取り込み、通信部１５を介して制御装置２０へと画像データを送信する。このとき、キャプチャ部１３から制御部１８は画像データを送らず、通信部１５にのみ送る。キャプチャモードでは、タッチパネル１２を動作させ、タッチパネル１２が検出した接触位置を示す接触位置データを、通信部１５を介して制御装置２０へと送信する。画像データの送信と接触位置データの送信とは、同期させて同じタイミングで送信してもよく、非同期でそれぞれ独立して送信してもよい。
【００５８】
制御装置２０では、通信部２１が、表示装置１０から送信された画像データおよび接触位置データを受信し、位置情報処理部２２ａにおいて、受信した接触位置データを解析し、ユーザの操作内容を決定する。
【００５９】
画像処理部２２ｂは、位置情報処理部２２ａにおいて解釈されたユーザの操作内容に予め対応付けられた画像処理を、通信部２１が表示装置１０から受信した画像データに施す。操作内容および画像処理については、上記の電子黒板モードと同じである。
【００６０】
制御装置２０は、画像処理部２２ｂが画像処理を施した画像データを、画像送信部２３を介して表示装置１０へと送信する。表示装置１０では、画像受信部１６が制御装置２０から送信された画像処理済みの画像データを受信し、制御部１８が、画像処理済みの画像データに基づく画像を表示部１１の表示面に表示させる。
【００６１】
このように、キャプチャモードでは、表示装置１０から制御装置２０へは、外部装置３０から入力された画像データとタッチパネル１２で検出した接触位置を示す接触位置データとを送信し、制御装置２０から表示装置１０へは、表示装置１０から受信した画像データに対して、接触位置データに基づく画像処理を施し、画像処理済みの画像データを送信することにより、表示装置１０では、外部装置３０から入力される画像データに基づく画像に対して、タッチパネル１２を利用して変倍させたり、文字や図形などを手書き入力することができる。
【００６２】
キャプチャモードでは、外部装置３０に、タッチパネルを使用するためのプログラムなどをインストールしなくても、表示装置１０と制御装置２０とが実行する処理によって、外部装置を表示装置に接続したときに、簡単にタッチパネル機能を使用することができる。
【００６３】
図２は、外部入力モードにおける表示装置１０の処理を示すフローチャートである。本フローは、外部装置３０が表示装置１０の外部入力端子に接続された状態が検出されると開始される。外部装置３０が表示装置１０の外部入力端子に接続されていなければ、電子黒板システム１は、電子黒板モードで動作する。
【００６４】
ステップＡ１では、キャプチャ部１３に対して外部装置３０から画像データが入力されているかどうかを判断する。入力されていればステップＡ２に進み、入力されていなければ待機する。なお、外部装置３０から物理的に電気信号が入力されたとしても、ＨＤＣＰ（High-bandwidth Digital Content Protection）によって暗号化された画像データであったり、表示装置１０の能力を超える高解像度の画像データが入力された場合は、ステップＡ１において、画像データが入力されていないと判断するようにしてもよい。
【００６５】
ステップＡ２では、キャプチャモードの開始指示がされたかどうかを判断する。開始指示は、表示装置１０の操作部１４に割り当てられたキーをユーザが押す、割り当てられたソフトキーをユーザがタッチするなどユーザの操作によって表示装置１０に入力される。開始指示が成されている場合は、キャプチャモードで動作してステップＡ３に進む。キャプチャモードの開始指示が成されていない場合は、非キャプチャモードで動作して、ステップＡ８に進む。非キャプチャモードでは、ステップＡ８において、外部装置３０からキャプチャ部１３に入力された画像データに基づく画像を表示部１１に表示させる。
【００６６】
ステップＡ３では、キャプチャ部１３が外部装置３０から入力された画像データを取り込み、ステップＡ４では、タッチパネル１２が接触位置を検出する。なお、本フローチャートでは、キャプチャ部１３による画像データの取り込み後にタッチパネル１２が接触位置を検出しているが、画像データの取り込みと接触位置の検出とは、この順序に限らず、どちらが先であっても、同時であってもよい。
【００６７】
ステップＡ５では、キャプチャ部１３が取り込んだ画像データと、タッチパネル１２が検出した接触位置を示す接触位置データとを通信部１５から制御装置２０へ送信する。ステップＡ６では、制御装置２０へ送信した画像データに対して制御装置２０で画像処理が施された画像処理済み画像データが、制御装置２０から送られてくるので、画像受信部１６で受信する。ステップＡ７では、画像受信部１６で受信した画像処理済み画像データに基づく画像を表示部１１に表示させる。
【００６８】
ステップＡ５において、通信部１５が制御装置２０に送信する画像データのデータ形式は、バイナリデータやビットマップデータなど、画像を表示させるためのデータ形式であればどのような形式であってもよい。
【００６９】
図３は、キャプチャモードにおける制御装置２０の処理を示すフローチャートである。制御装置２０は、キャプチャモードのときには以下のように動作し、非キャプチャモードのときには、動作しない。キャプチャモードの動作であることは、表示装置１０から制御装置２０に対して、ステップＡ３以降、ステップＡ５よりも前に通知するようにしてもよいし、制御装置２０が表示装置１０から画像データを受信したときにキャプチャモードであることを認識するようにしてもよい。
【００７０】
また、制御部２２における位置情報処理部２２ａおよび画像処理部２２ｂは、アプリケーションプログラム（制御アプリ）によって実現される。
【００７１】
ステップＢ１では、通信部２１が表示装置１０から画像データ、接触位置データを受信したかどうかを判断し、受信していればステップＢ２に進み、受信していなければ待機する。ステップＢ２では、制御アプリが起動しているかどうかを判断し、起動していればステップＢ４に進み、起動していなければステップＢ３で制御アプリを起動させる。
【００７２】
ステップＢ４では、受信した画像データを制御アプリによって、制御装置２０上に出力して展開し、制御装置２０で生成した画像データと同様に扱うことができるようにする。ステップＢ５では、受信した接触位置データを解析し、ユーザがタッチパネル１２を操作した操作内容を決定する。ステップＢ６では、展開した画像データに対して、ステップＢ５で決定した操作内容に予め対応付けられた画像処理を施す。ステップＢ７では、画像処理済みの画像データを画像送信部２３から表示装置１０へ送信する。このステップＢ７で送信した画像処理済みの画像データが、図２のステップＡ６で、表示装置１０の画像受信部１６が受信する画像処理済み画像データである。
【００７３】
図４は、電子黒板システム１の外部入力モード動作時の第１の実施態様を示す概略図である。本実施態様では、外部装置３０としてＰＣを表示装置１０に接続し、表示装置１０と制御装置２０とが、接続されている。
【００７４】
ＰＣの映像出力端子と、表示装置１０の外部入力端子とをケーブルで接続し、ＰＣのモニタなどに表示される画像データが表示装置１０に入力される。表示装置１０において、ユーザがタッチペン１９などを用いてタッチパネル１２に接触すると、接触位置が検出される。
【００７５】
表示装置１０と制御装置２０とは、表示装置１０から制御装置２０へデータ送信するケーブルと制御装置２０から表示装置１０へデータ送信するケーブルとで互いに接続されている。ＰＣから入力された画像データと接触位置データとが表示装置１０から制御装置２０に送信されると、制御装置２０で画像データに対して画像処理を施し、表示装置１０へと処理済み画像データを送信する。表示装置１０は、制御装置２０から受信した画像データに基づく画像を表示部１１に表示する。
【００７６】
図４に示した例では、ＰＣから出力された画像に対してタッチペン１９で手書き入力した軌跡が表示装置１０に表示される。
【００７７】
外部装置３０であるＰＣにタッチパネル１２を使用するためのプログラムをインストールしなくても、表示装置１０とケーブル接続するだけで、表示装置１０のタッチパネル１２を使用することができる。
【００７８】
図５は、電子黒板システム１の外部入力モード動作時の第２の実施態様を示す概略図である。本実施態様では、外部装置３０としてＰＣを表示装置１０に接続し、表示装置１０と制御装置２０とが、接続されている。
【００７９】
ＰＣの映像出力端子と、表示装置１０の外部入力端子とをケーブルで接続し、ＰＣのモニタなどに表示される画像データが表示装置１０に入力される。表示装置１０において、ユーザがタッチペン１９などを用いてタッチパネル１２に接触すると、接触位置が検出される。
【００８０】
表示装置１０と制御装置２０とは、表示装置１０から制御装置２０へデータ送信するケーブルと制御装置２０から表示装置１０へデータ送信するケーブルとで互いに接続されている。ＰＣから入力された画像データと接触位置データとが表示装置１０から制御装置２０に送信されると、制御装置２０で画像データに対して画像処理を施し、処理済みの画像データを、制御装置２０が生成した画像データに埋め込む、または処理済みの画像データを、制御装置２０が生成した画像に重ねて表示装置１０へと処理済み画像データを送信する。表示装置１０は、制御装置２０から受信した画像データに基づいて、制御装置２０が生成した画像データと、処理済み画像データとを合わせて１つの画像として表示部１１に表示する。
【００８１】
図５に示した例では、制御装置２０が生成した画像とＰＣから出力された画像とが合成された画像に対してタッチペン１９で手書き入力した軌跡が表示装置１０に表示される。
【００８２】
外部装置３０であるＰＣにタッチパネル１２を使用するためのプログラムをインストールしなくても、表示装置１０とケーブル接続するだけで、表示装置１０のタッチパネル１２を使用することができる。
【００８３】
図６は、電子黒板システム１の外部入力モード動作時の第３の実施態様を示す概略図である。本実施態様では、外部装置３０としてＤＶＤプレーヤを表示装置１０に接続し、表示装置１０と制御装置２０とが、接続されている。
【００８４】
ＤＶＤプレーヤの映像出力端子と、表示装置１０の外部入力端子とをケーブルで接続し、ＤＶＤの再生画像データが表示装置１０に入力される。表示装置１０において、ユーザがタッチペン１９などを用いてタッチパネル１２に接触すると、接触位置が検出される。
【００８５】
表示装置１０と制御装置２０とは、表示装置１０から制御装置２０へデータ送信するケーブルと制御装置２０から表示装置１０へデータ送信するケーブルとで互いに接続されている。ＤＶＤプレーヤから入力された画像データと接触位置データとが表示装置１０から制御装置２０に送信されると、制御装置２０で画像データに対して画像処理を施し、表示装置１０へと処理済み画像データを送信する。表示装置１０は、制御装置２０から受信した画像データに基づく画像を表示部１１に表示する。
【００８６】
図６に示した例では、ＤＶＤの再生画像に対してタッチペン１９で手書き入力した軌跡が表示装置１０に表示される。
【００８７】
外部装置３０であるＤＶＤプレーヤなどＰＣのような汎用性、拡張性が無い装置では、タッチパネル１２を使用するためのプログラムをインストールできない場合が多いが、表示装置１０とケーブル接続するだけで、表示装置１０のタッチパネル１２を使用することができる。
【００８８】
＜第２実施形態＞
上記の第１実施形態では、表示装置１０に外部装置３０だ接続されたときの外部入力モードとして、キャプチャモードと非キャプチャモードとで選択的に動作する構成について説明した。第２実施形態では、表示装置１０が、外部入力モードとして非キャプチャモードとしては動作せず、キャプチャモードでのみ動作する。
【００８９】
本実施形態では、表示装置１０が、外部入力モードで常にキャプチャモードで動作するので、ユーザは、キャプチャモードを開始するための操作を行う必要がない。具体的には、表示装置１０の外部端子に外部装置３０が接続されていることが検出されると、外部入力モードとしてキャプチャモードによる動作を開始する。表示装置１０の外部端子に外部装置３０が接続されていない場合は、電子黒板モードとして動作する。
【００９０】
本実施形態における表示装置１０の処理を示すフローチャートとしては、キャプチャモードを開始するかどうかの判断が不要であるので、図２に示した第１実施形態のフローチャートのステップＡ３以降を実行すればよく、詳細な説明は省略する。本実施形態における制御装置２０の処理を示すフローチャートは、図３に示したフローチャートと同じである。
【００９１】
＜第３実施形態＞
本発明は、画像表示方法としても実施可能であり、第３実施形態は、上記の電子黒板システム１が実行する画像表示方法である。タッチパネルを備えた表示装置および制御装置のそれぞれにソフトウェアプログラムをインストールすることで、電子黒板システム１の表示装置１０および制御装置２０として動作さえ、図２および図３のフローチャートで示される画像表示方法を実施することができる。本実施形態の画像表示方法は、上記の表示装置１０および制御装置２０のハードウェア構成に限定されず、図２および図３のフローチャートを実行することが可能なハードウェア構成であればよい。
【符号の説明】
【００９２】
１      電子黒板システム
１０    表示装置
１１    表示部
１２    タッチパネル
１３    キャプチャ部
１４    操作部
１５    通信部
１６    画像受信部
１７    記憶部
１８    制御部
１９    タッチペン
２０    制御装置
２１    通信部
２２    制御部
２２ａ  位置情報処理部
２２ｂ  画像処理部
２３    画像送信部
２４    記憶部
２５    操作部
３０    外部装置
【図１】
2015191169.tif 000003
【図２】
2015191169.tif 000004
【図３】
2015191169.tif 000005
【図４】
2015191169.tif 000006
【図５】
2015191169.tif 000007
【図６】
2015191169.tif 000008